(57)【要約】【課題】接続された外部収音装置の種別をより適切に判別可能な音声記録装置を提供することを目的とする。【解決手段】前記外部収音装置を接続可能であり複数端子を備えた接続部と、前記接続部に前記外部収音装置が接続されたときに、前記複数端子のうちの特定の端子の信号間の相関に基づいて前記接続された外部収音装置の種別を判断する判別部と、を備える。また、前記複数端子は第１端子、第２端子、第３端子を含み、前記判別部は、前記第１端子の電圧および前記第２端子の電圧の相関が第１しきい値より高く、かつ、前記第１端子の電圧および前記第３端子の電圧の相関が第２しきい値より高いときに、接続された前記外部収音装置が特定の外部収音装置であると判断するようにしてもよい。【選択図】図７
2013207327.tif 000002
【特許請求の範囲】
【請求項１】
外部収音装置を接続可能な音声記録装置であって、
前記外部収音装置を接続可能であり複数端子を備えた接続部と、
前記接続部に前記外部収音装置が接続されたときに、前記複数端子のうちの特定の端子の信号間の相関に基づいて前記接続された外部収音装置の種別を判断する判別部と、
を備えた音声記録装置。
【請求項２】
前記複数端子は第１端子、第２端子、第３端子を含み、
前記判別部は、前記第１端子の電圧および前記第２端子の電圧の相関が第１しきい値より高く、かつ、前記第１端子の電圧および前記第３端子の電圧の相関が第２しきい値より高いときに、接続された前記外部収音装置が特定の外部収音装置であると判断する、
請求項１記載の音声記録装置。
【発明の詳細な説明】
【技術分野】
【０００１】
ここに開示される技術は、外部マイクロホンを接続可能な音声記録装置に関する。
【背景技術】
【０００２】
外部マイクロホン（外部収音装置）の接続が可能であり、外部マイクロホンでの収音が可能な音声記録装置が知られている。このような音声記録装置において、複数種類のオーディオ機器の種別を自動的に判別するための構成が、特許文献１に開示されている。
【０００３】
この従来の音声記録装置では、音声記録装置のジャックインタフェースに接続された外部マイクロホンのようなオーディオ機器の各チャンネルそれぞれのインピーダンスに基づいてオーディオ機器の種別を判別する。この構成により、一つのジャックインタフェースのみで、複数種のオーディオ機器に適応することが可能となるとしている。
【先行技術文献】
【特許文献】
【０００４】
【特許文献１】特開２００９−１９４８９０号公報
【発明の概要】
【発明が解決しようとする課題】
【０００５】
このような従来の音声記録装置では、接続された外部収音装置の各チャンネルそれぞれのインピーダンスに基づいて種別を判断しているため、判断が適切でない場合があるという課題があった。
【０００６】
ここに開示される技術は、接続された外部収音装置の種別をより適切に判別可能な音声記録装置を提供することを目的とする。
【課題を解決するための手段】
【０００７】
ここに開示される音声記録装置は、外部収音装置を接続可能な音声記録装置であって、前記外部収音装置を接続可能であり複数端子を備えた接続部と、前記接続部に前記外部収音装置が接続されたときに、前記複数端子のうちの特定の端子の信号間の相関に基づいて前記接続された外部収音装置の種別を判断する判別部と、を備える。
【発明の効果】
【０００８】
ここに開示される技術によれば、接続された外部収音装置の種別をより適切に判別可能な音声記録装置を提供することができる。
【図面の簡単な説明】
【０００９】
【図１】実施の形態１に係るデジタルカメラ１００の正面構成図
【図２】実施の形態１に係るデジタルカメラ１００の背面構成図
【図３】実施の形態１に係るデジタルカメラ１００の上面構成図
【図４】実施の形態１に係るデジタルカメラ１００の電気的構成を示すブロック図
【図５】実施の形態１に係るプラグ３０３の具体例を示す図
【図６】実施の形態１に係るデジタルカメラ１００の撮影モード時の動作の流れを示すフローチャート
【図７】実施の形態１に係るデジタルカメラ１００の専用マイクロホン検出処理の動作の流れを示すフローチャート
【発明を実施するための形態】
【００１０】
〔実施の形態１〕
実施の形態１のデジタルカメラ１００は、外部マイクロホン３００を接続するジャック２０３を備える。デジタルカメラ１００は、外部マイクロホン３００が接続されると、接続された外部マイクロホン３００が専用マイクロホンであるかどうか判断し、専用マイクロホンが接続されたと判断した場合は、専用マイクロホンのための拡張機能を選択可能とする。以下、デジタルカメラ１００の構成および動作を説明する。
【００１１】
〔１．構成〕
以下、図を用いてデジタルカメラ１００の構成を説明する。
【００１２】
〔１−１．デジタルカメラ１００の構成〕
図１は、デジタルカメラ１００の正面構成図である。デジタルカメラ１００は、その正面に鏡筒１４１およびフラッシュ２００を備える。デジタルカメラ１００は、その上面にレリーズ釦１８１、ズームレバー１８２、電源釦１８３およびモードダイヤル１８４などの操作部１８０、およびシュー２０１を備える。外部マイクロホン３００は、機械的かつ電気的に、デジタルカメラ１００と接続可能である。シュー２０１は、外部マイクロホン３００を機械的に固定できる。外部マイクロホン３００は、収音部３０１、収音部３０１に連結したケーブル３０２およびケーブル３０２に連結したプラグ３０３を備える。プラグ３０３は、デジタルカメラ１００が側面に具備するジャック２０３と電気的に接続可能である。外部マイクロホン３００の収音部３０１にて収音された音声信号は、ケーブル３０２、プラグ３０３およびジャック２０３を介してデジタルカメラ１００の音声処理部１１５，１２０等に入力される。
【００１３】
図２は、デジタルカメラ１００の背面構成図である。デジタルカメラ１００は、その背面に中央釦１８５および十字釦１８６などの操作部１８０、および表示部１９０を備える。
【００１４】
図３は、デジタルカメラ１００の上面構成図である。デジタルカメラ１００の上面には、マイク孔２１０が形成されている。デジタルカメラ１００は、マイク孔２１０の下部に、内部マイクロホン１１１を備える。
【００１５】
図４は、デジタルカメラ１００の電気的構成図である。デジタルカメラ１００は、画像入力系１４０、音声入力系１１０、デジタル画像・音声処理部１２０、コントローラ１３０、ＲＡＭ１５０、外部記憶媒体１６０、ＲＯＭ１７０、操作部１８０、表示部１９０およびスピーカー１９５を備える。
【００１６】
デジタルカメラ１００は、外部から得られた情報から画像情報および音声信号を生成する。画像情報は、画像入力系１４０によって生成される。音声信号は、音声入力系１１０によって生成される。生成された画像情報および音声信号は、Ａ／Ｄ変換され、デジタル画像・音声処理部１２０で各処理が施された後、メモリカード等の外部記憶媒体１６０に記録される。外部記憶媒体１６０に記録された画像情報は、使用者による操作部１８０の操作を受け付けて、表示部１９０に表示される。外部記憶媒体１６０に記録された音声信号は、使用者による操作部１８０の操作を受け付けて、スピーカー１９５から出力される。
【００１７】
図５は、プラグ３０３の具体例を示す図である。プラグ３０３は、例えば、プラグ３０３ａのように、４極の端子を持つ場合もある。また、プラグ３０３は、例えば、プラグ３０３ｂのように、３極の端子を持つ場合もある。本実施の形態のデジタルカメラ１００に接続可能な専用マイクロホンは、プラグ３０３ａを備えている。また、一般的な２チャンネルのステレオマイクロホンは、プラグ３０３ｂを備えている。
【００１８】
以下、図１から図５に示す各部の詳細を説明する。
【００１９】
画像入力系１４０は、鏡筒１４１、レンズ制御部１４２、ＣＣＤイメージセンサ１４３およびＡＦＥ（アナログ・フロント・エンド）１４４を備える。
【００２０】
鏡筒１４１は、複数のレンズを有する光学系である。鏡筒１４１は、レンズ制御部１４２から通知された制御信号に従って駆動されたモータによって、被写体のフォーカス調節、画角調節、入射する光量調節、手ぶれ補正などを行い、被写体像を形成する。
【００２１】
ＣＣＤイメージセンサ１４３は、鏡筒１４１を通して形成された被写体像を撮像して画像情報を生成する。ＣＣＤイメージセンサ１４３の受光面には、多数のフォトダイオードが次元的に（マトリクス状に）配列されている。また、各フォトダイオードに対応して、Ｒ、ＧまたはＢの原色カラーフィルターが配置されている。Ｒ、ＧおよびＢの原色カラーフィルターは、所定の配列構造で配置されている。撮像対象となる被写体からの光は、鏡筒１４１を通過した後に、ＣＣＤイメージセンサ１４３の受光面に結像される。結像された被写体像は、各フォトダイオードへ入射した光量に応じて、Ｒ、ＧまたはＢに仕分けられたそれぞれの色情報に変換される。その結果、被写体像全体を示す画像情報が生成される。各フォトダイオードは、ＣＣＤイメージセンサ１４３の画素に対応する。しかし、各フォトダイオードから実際に出力される色情報は、Ｒ、Ｇ、Ｂのいずれかの原色情報である。そのため、各画素のそれぞれで発現させるべき色は、後段のデジタル画像・音声処理部１２０において、各画素に対応するフォトダイオードおよび、その周辺のフォトダイオードから出力される原色情報（色、光量）に基づき生成される。なお、ＣＣＤイメージセンサ１４３は、デジタルカメラ１００が撮影モードにあるとき、一定時間ごとに新しいフレームの画像情報を生成することができる。
【００２２】
ＡＦＥ１４４では、ＣＣＤイメージセンサ１４３から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１４４は、画像情報をデジタル画像・音声処理部１２０に出力する。
【００２３】
音声入力系１１０は、内部マイクロホン１１１、ジャック２０３、検出部２０２およびアナログ音声処理部１１５を備える。音声入力系１１０は、外部マイクロホン３００を含む。外部マイクロホン３００が備える収音部３０１は、マイクロホン３０１Ｌおよびマイクロホン３０１Ｒおよびマイクロホン３０１Ｃを含む。外部マイクロホンが備えるプラグ３０３は、例えば、プラグ３０３ａのように、４極の端子を持つ場合もある。この場合のプラグの端子配列は、例えば、先端から順に、Ｌ（レフトチャネル），Ｒ（ライトチャネル），Ｇ（グランド），Ｃ（センターチャネル）である。また、プラグ３０３は、例えば、プラグ３０３ｂのように、３極の端子を持つ場合もある。この場合のプラグの端子配列は、例えば、先端から順に、Ｌ（レフトチャネル），Ｒ（ライトチャネル），Ｇ（グランド）である。ジャック２０３の接続端子は４極またはそれ以上であるとする。本実施の形態では、デジタルカメラ１００に対応した専用マイクロホンは、プラグ３０３ａを備えているものとする。そして、ジャック２０３は、この専用マイクロホンのプラグ３０３ａに対応して、Ｌ，Ｒ，Ｇ，Ｃの端子を備えているものとする。検出部２０２は、外部マイクロホン３００のプラグ３０３がジャック２０３に接続されているかどうかを検出する。検出方法は、機械的な方法でも電気的な方法でもよい。なお、機械的な方法とは、例えば、プラグ３０３がジャック２０３に接続されている場合には、プラグ３０３の先端がスイッチを押下し、検出部２０２がその押下の状態を検出できるように構成する方法である。電気的な方法とは、例えば、プラグ３０３がジャック２０３に接続されているか否かで電気抵抗値が変化するような所定の配線を用意し、検出部２０２がその電気抵抗値を検出できるように構成する方法である。検出部２０２によりプラグ３０３がジャック２０３に接続されていることが検知されると、アナログ音声処理部１１５は、外部マイクロホン３００の入力を内部マイクロホン１１１の入力よりも優先して選択して処理する。一方、検出部２０２によりプラグ３０３がジャック２０３に接続されていないことが検知されると、アナログ音声処理部１１５は、内部マイクロホン１１１の入力を処理する。つまり、デジタルカメラ１００は、外部マイクロホン３００が接続されている間は、外部マイクロホン３００にて収音を行い、外部マイクロホン３００が接続されていない間は、内部マイクロホン１１１にて収音を行う。従って、アナログ音声処理部１１５は、外部マイクロホン３００および内部マイクロホン１１１からの音声信号の入力を受け付けることができるが、同じタイミングでは、外部マイクロホン３００および内部マイクロホン１１１のうちいずれか一方からの音声信号のみを処理する。
【００２４】
アナログ音声処理部１１５は、処理した音声信号をＡ／ＤコンバータによりＡ／Ｄ変換し、デジタル画像・音声処理部１２０に出力する。
【００２５】
デジタル画像・音声処理部１２０は、ＡＦＥ１４４から出力された画像情報およびアナログ音声処理部１１５から出力された音声信号に対して各種の処理を施す。例えば、デジタル画像・音声処理部１２０は、コントローラ１３０からの指示に従って、画像情報に対してガンマ補正やホワイトバランス補正、傷補正、符号化処理等を行う。また、デジタル画像・音声処理部１２０は、コントローラ１３０からの指示に従って、音声信号に対する各種処理を行う。デジタル画像・音声処理部１２０は、ハードワイヤードな電子回路で実現してもよいし、プログラムを実行するマイクロコンピュータなどで実現してもよい。デジタル画像・音声処理部１２０は、コントローラ１３０などと一体的に１つの半導体チップとして実現してもよい。
【００２６】
表示部１９０は、デジタルカメラ１００の背面に配置される。本実施の形態では、表示部１９０は、液晶ディスプレイである。表示部１９０は、デジタル画像・音声処理部１２０にて処理された画像情報に基づく画像を表示する。表示部１９０が表示する画像には、スルー画像および再生画像などがある。スルー画像は、ＣＣＤイメージセンサ１４３により一定時間ごとに連続的に新たに生成されるフレームの画像である。通常は、デジタルカメラ１００が撮影モードに設定されており、かつ静止画撮影を行っていない待機状態、または動画撮影状態にあるときに、デジタル画像・音声処理部１２０がＣＣＤイメージセンサ１４３の生成した画像情報からスルー画像を生成する。使用者は、表示部１９０に表示されるスルー画像を参照することにより、被写体の構図を確認しながら被写体を撮影できる。再生画像は、デジタルカメラ１００が再生モードにあるときに、デジタル画像・音声処理部１２０により生成される。再生画像は、外部記憶媒体１６０等に記録された高画素の記録画像を、表示部１９０のサイズに合わせて低画素に縮小した画像である。外部記憶媒体１６０に記録される高画素の画像情報は、レリーズ釦１８１が使用者による所定の操作を受け付けた後に、ＣＣＤイメージセンサ１４３が生成した画像情報に基づいてデジタル画像・音声処理部１２０により生成される。スピーカー１９５は、外部記憶媒体１６０に記録された音声信号を出力する。
【００２７】
コントローラ１３０は、デジタルカメラ１００全体の動作を統括制御する。
【００２８】
ＲＯＭ１７０は、コントローラ１３０が実行するための、オートフォーカス制御（ＡＦ制御）や自動露出制御（ＡＥ制御）、フラッシュ２００の発光制御などに関するプログラムの他、デジタルカメラ１００全体の動作を統括制御するためのプログラムを格納している。
【００２９】
また、ＲＯＭ１７０は、デジタルカメラ１００に関する各種設定を記憶する。なお、本実施の形態では、ＲＯＭ１７０は、フラッシュＲＯＭである。
【００３０】
コントローラ１３０は、ハードワイヤードな電子回路で実現してもよいし、プログラムを実行するマイクロコンピュータなどで実現してもよい。また、コントローラ１３０は、デジタル画像・音声処理部１２０などと一体的に１つの半導体チップとして実現してもよい。また、ＲＯＭ１７０は、コントローラ１３０の外部に（コントローラ１３０とは別体として）存在している必要はなく、コントローラ１３０の内部に組み込まれていてもよい。
【００３１】
ＲＡＭ１５０は、デジタル画像・音声処理部１２０およびコントローラ１３０のワークメモリとして機能する。ＲＡＭ１５０は、ＳＤＲＡＭやフラッシュメモリなどで実現できる。ＲＡＭ１５０は、画像情報および音声信号などを記録するための内部メモリとしても機能する。
【００３２】
外部記憶媒体１６０は、内部にフラッシュメモリ等の不揮発性の記録部を備えた外部メモリである。外部記憶媒体１６０は、デジタル画像・音声処理部１２０で処理される画像情報および音声信号などのデータを記録可能である。
【００３３】
操作部１８０は、デジタルカメラ１００の外装に配置される操作釦や操作ダイヤルなどの操作インターフェースの総称である。操作部１８０は、使用者による操作を受け付ける。例えば、図１、図２および図３に示したレリーズ釦１８１、ズームレバー１８２、電源釦１８３、モードダイヤル１８４、中央釦１８５および十字釦１８６などがこれにあたる。操作部１８０は、使用者による操作を受け付けると、コントローラ１３０に種々の動作を指示する信号を通知する。
【００３４】
レリーズ釦１８１は、半押し状態と全押し状態の二段階に遷移する押下式釦である。レリーズ釦１８１が使用者により半押しされると、コントローラ１３０は、ＡＦ（Ａｕｔｏ  Ｆｏｃｕｓ）制御および／またはＡＥ（Ａｕｔｏ  Ｅｘｐｏｓｕｒｅ）制御などを実行し、撮影条件を決定する。ＡＦ制御においては、デジタル画像・音声処理部１２０が画像情報の所定領域におけるコントラスト値を算出し、これに基づいてコントローラ１３０がレンズ制御部１４２を通じて鏡筒１４１を駆動させ、コントラスト値が最大になるようにフィードバック制御を行う。ＡＦ制御の結果、コントローラ１３０は、ＡＦ制御対象の被写体までの焦点距離を得ることができる。また、ＡＦ制御の結果、鏡筒１４１は、ＡＦ制御対象の被写体像をＣＣＤイメージセンサ１４３に結像させることができる。続いて、レリーズ釦１８１が使用者により全押しされると、コントローラ１３０は、全押しのタイミングに撮像された画像情報を外部記憶媒体１６０などに記録する。
【００３５】
ズームレバー１８２は、画角調節についての広角端と望遠端を有するレバーである。ズームレバー１８２は、使用者による操作が解除されると、中央位置に自動的に復帰する自己復帰式のレバーである。ズームレバー１８２は、使用者により操作されると、コントローラ１３０に鏡筒１４１を駆動させるよう指示する信号を通知する。すなわち、使用者がズームレバー１８２を広角側に移動させると、コントローラ１３０は、レンズ制御部１４２を介して被写体像を広角で捉えられるように鏡筒１４１を駆動する。同様に、使用者がズームレバー１８２を望遠側に移動させると、コントローラ１３０は、レンズ制御部１４２を介して被写体像を望遠で捉えられるように鏡筒１４１を駆動する。
【００３６】
電源釦１８３は、デジタルカメラ１００の各部への電力供給をＯＮ／ＯＦＦするためのスライド式釦である。電源ＯＦＦ時に電源釦１８３が使用者により右方にスライドされると、コントローラ１３０は、デジタルカメラ１００の各部に電力を供給し、各部を起動させる。電源ＯＮ時に電源釦１８３が使用者により左方にスライドされると、コントローラ１３０は、デジタルカメラ１００の各部への電力供給を停止する。
【００３７】
モードダイヤル１８４は、回転式のダイヤルである。モードダイヤル１８４が使用者により回転されると、コントローラ１３０は、デジタルカメラ１００の動作モードを、モードダイヤル１８４の現在の回転位置に対応する動作モードに切り替える。動作モードとは、例えば、オート撮影モード、マニュアル撮影モード、シーン選択モード、再生モードなどである。なお、オート撮影モード、マニュアル撮影モードおよびシーン選択モードを、総称して撮影モードと呼ぶものとする。
【００３８】
中央釦１８５は、押下式釦である。デジタルカメラ１００が撮影モードあるいは再生モードにあるときに、中央釦１８５が使用者により押下されると、コントローラ１３０は、表示部１９０にメニュー画面を表示する。メニュー画面とは、使用者に様々な撮影条件および再生条件を設定させるための画面である。メニュー画面上で使用者により各種条件の設定項目の値が選択されている状態で中央釦１８５が押下されると、その設定項目がその値に決定される。決定された設定は、ＲＯＭ１７０に記憶される。
【００３９】
十字釦１８６は、上下左右方向に設けられた４つの押下式釦を備える。使用者は、十字釦１８６のいずれかの方向の釦を押下することにより、メニュー画面上に表示される各種条件の設定項目の値を選択することができる。
【００４０】
フラッシュ２００は、キセノン管と、コンデンサと、昇圧回路と、発光トリガ回路とを備える。昇圧回路は、コントローラ１３０からの制御信号に従って、コンデンサに高電圧を印加する。発光トリガ回路は、コントローラ１３０からの制御信号に従って、印加充電されたコンデンサの高電圧を放電させて、キセノン管内のキセノンガスを瞬間的に発光させる。発光トリガ回路は、コンデンサの高電圧を撮影と同期して放電させる。これにより、デジタルカメラ１００は、発光された被写体を撮影することができる。すなわち、フラッシュ２００が被写体に対して撮像時に瞬間的に発光することによって、被写体の明るさを補った撮影ができる。なお、フラッシュ２００の発光には、プリ発光と本発光がある。プリ発光は、フラッシュ発光による被写体からの反射光量の度合に基づいて被写体までの距離を判定し、判定結果に応じて撮影時のフラッシュ２００の発光量を求めるための、撮影事前の発光である。本発光は、プリ発光により求められた発光量により、撮影のタイミングと同期して実行される発光である。
【００４１】
〔１−２．本発明との対応関係〕
外部マイクロホン３００は、本発明の外部収音装置の一例である。マイクロホン３０１Ｌ及びマイクロホン３０１Ｒ及びマイクロホン３０１Ｃは、本発明の外部収音装置の収音部３０１が備えるマイクロホンの一例である。ジャック２０３は、本発明の接続部の一例である。コントローラ１３０は、本発明の判別部の一例である。デジタルカメラ１００は、本発明の音声記録装置の一例である。
【００４２】
〔２．動作〕
続いて、本実施の形態１に係るデジタルカメラ１００の撮影モード時の動作について説明する。デジタルカメラ１００は、撮影モードにおける待機状態または動画撮影中である動画撮影状態において、スルー画像を表示部１９０に表示する。デジタルカメラ１００は、外部マイクロホン３００が接続された場合、外部マイクロホン３００にて収音される各チャネルの音声信号を調べ、外部マイクロホン３００が専用マイクロホンであるかどうかを検出する専用マイクロホン検出処理を行う。以下では、図６と図７とを用いて、まず撮影モード時の全体的な動作の流れについて説明し、次に専用マイクロホン検出処理の動作の流れについて説明する。
【００４３】
図６は、デジタルカメラ１００の撮影モード時の全体的な動作の流れを示すフローチャートである。電源釦１８３が操作されて電源が投入されると、デジタルカメラ１００は撮影モードに入る。また、デジタルカメラ１００は、モードダイヤル１８４が操作されて再生モードから撮影モードに切り換える指示が出された場合にも、撮影モードに入る。撮影モードに入ると、図６に示す処理が開始する。ステップＳ５０１において、コントローラ１３０は、表示部１９０に、デジタル画像・音声処理部１２０が出力するスルー画像を表示する。また、コントローラ１３０は、必要に応じて、ジャック２０３の各端子の出力値を調べ、ジャック２０３に接続された機器が専用マイクロホンであるかどうかを検出する専用マイクロホン検出処理を行う。次に、ステップＳ５０２において、コントローラ１３０は、レリーズ釦１８１が押下されたかどうかを判定する。ステップＳ５０２においてレリーズ釦１８１が押下されたと判定されると、ステップＳ５０４の撮影動作が実行される。ステップＳ５０２においてレリーズ釦１８１が押下されていないと判定されると、ステップＳ５０３で撮影モードが判定される。ステップＳ５０３では、コントローラ１３０が、現在の動作モードが撮影モードかどうかを判定する。ステップＳ５０３において動作モードが撮影モードであると判定されると、撮影モード時の動作の始点であるステップＳ５０１に戻る。ステップＳ５０３において動作モードが撮影モードでないと判定されると、撮影モード時の動作が終了する。
【００４４】
図７は、前述した専用マイクロホン検出処理の動作の流れを示すフローチャートである。検出部２０２がジャック２０３の接続を検出すると、コントローラ１３０は、図７の専用マイクロホン検出処理を実行する。ジャック２０３の各端子の出力値（電圧）を次のように定義する。ジャック２０３の端子Ｌの出力値ａｌ，ジャック２０３の端子Ｒの出力値ａｒ，ジャック２０３の端子Ｃの出力値ａｃ、とする。また、上記の各端子の出力値は、ジャック２０３の端子Ｇの出力値を基準とする。ステップＳ７０１において、出力値ａｃの期間Ｔにおける平均を平均値ＡＣとする。平均値ＡＣは、例えば式１で定義されるものとする。
【００４５】
【数１】
2013207327.tif 000003
【００４６】
コントローラ１３０は、平均値ＡＣが、予め定められた閾値Ｘより大きいか否か（「ＡＣ＞Ｘ」の真偽）を調べる。「ＡＣ＞Ｘ」が真である場合、ステップＳ７０２が実行される。「ＡＣ＞Ｘ」が偽である場合、ステップＳ７０５が実行される。ステップＳ７０２において、コントローラ１３０は、出力値ａｌと出力値ａｃとの相関の有無を調べる。例えば、「αｆ（ａｃ）＜ｆ（ａｌ）＜βｆ（ａｃ）」の真偽を調べる。この場合、ステップＳ７０２において、係数α及び係数βは予め定められた係数であり、関数ｆは予め定められた関数である。関数ｆは、例えば式２で定義されるものとする。
【００４７】
【数２】
2013207327.tif 000004
【００４８】
出力値ａｌと出力値ａｃとの相関が有る場合、例えば「αｆ（ａｃ）＜ｆ（ａｌ）＜βｆ（ａｃ）」が真である場合、ステップＳ７０３が実行される。出力値ａｌと出力値ａｃとの相関が無い場合、例えば「αｆ（ａｃ）＜ｆ（ａｌ）＜βｆ（ａｃ）」が偽である場合、ステップＳ７０５が実行される。ステップＳ７０３において、コントローラ１３０は、出力値ａｒと出力値ａｃとの相関の有無を調べる。例えば、「αｆ（ａｃ）＜ｆ（ａｒ）＜βｆ（ａｃ）」の真偽を調べる。この場合、ステップＳ７０３において、係数α及び係数βは予め定められた係数である。関数ｆは、予め定められた関数である。関数ｆは、例えば式２で定義されるものとする。出力値ａｒと出力値ａｃとの相関が有る場合、例えば「αｆ（ａｃ）＜ｆ（ａｒ）＜βｆ（ａｃ）」が真である場合、ステップＳ７０４が実行される。出力値ａｒと出力値ａｃとの相関が無い場合、例えば「αｆ（ａｃ）＜ｆ（ａｒ）＜βｆ（ａｃ）」が偽である場合、ステップＳ７０５が実行される。ステップＳ７０５において、コントローラ１３０は、専用マイクロホン用に用意された拡張機能を選択不可能にする。例えば、操作部１８０を操作して設定する拡張機能の項目を表示部１９０に表示するとき、専用マイクロホン用に用意された拡張機能の項目をグレーアウト表示にすると同時に、選択できないようにする。ステップＳ７０４において、コントローラ１３０は、専用マイクロホン用に用意された拡張機能を選択可能にする。例えば、操作部１８０を操作して設定する拡張機能の項目を表示部１９０に表示するとき、専用マイクロホン用に用意された拡張機能の項目をグレーアウト表示から通常表示に切り替えると同時に、選択できるようにする。ステップＳ７０４における専用マイクロホン用拡張機能を選択可能にする処理、もしくは、ステップＳ７０５における専用マイクロホン用拡張機能を選択不可能にする処理、のどちらかの処理が終了したら、専用マイクロホン検出処理は終了する。
【００４９】
〔３．まとめ〕
以上のように、コントローラ１３０が、ジャック２０３に接続された機器が専用マイクロホンでないことを検出すると、コントローラ１３０は、専用マイクロホン用に用意された拡張機能を選択不可能にする。例えば、操作部１８０を操作して設定する拡張機能の項目を表示部１９０に表示するとき、専用マイクロホン用に用意された拡張機能の項目をグレーアウト表示にすると同時に、選択できないようにする。また、コントローラ１３０が、ジャック２０３に接続された機器が専用マイクロホンであることを検出すると、コントローラ１３０は、専用マイクロホン用に用意された拡張機能を選択可能にする。例えば、操作部１８０を操作して設定する拡張機能の項目を表示部１９０に表示するとき、専用マイクロホン用に用意された拡張機能の項目をグレーアウト表示から通常表示に切り替えると同時に、選択できるようにする。これにより、使用者は、ジャック２０３に接続した機器が専用マイクロホンでない場合に、専用マイクロホン用の拡張機能を誤って選択することがなくなる。
【００５０】
〔他の実施の形態〕
本発明は、上記実施の形態に限定されず、種々の実施形態が考えられる。以下、本発明の他の実施の形態について記載する。
【００５１】
（１）
上記実施の形態において、専用マイクロホンが備えるプラグ３０３の例として、プラグ３０３ａを示し、プラグ３０３ａの４極の端子配列が、先端から順に、Ｌ（レフトチャネル），Ｒ（ライトチャネル），Ｇ（グランド），Ｃ（センターチャネル）であるとしたが、これに限らない。例えば、４極の端子配列が、先端から順に、Ｌ（レフトチャネル），Ｒ（ライトチャネル），Ｃ（センターチャネル），Ｇ（グランド）であっても良い。また、プラグ３０３の例として、プラグ３０３ａを示し、プラグの端子数を４極であるとしたが、これに限らない。
【００５２】
（２）
上記実施の形態において、ステップＳ７０２及びステップＳ７０３で相関を調べる為の関数ｆを式２で定義されるものとしたが、これに限らない。例えば、関数ｆは、式３で定義されるものでも良い。
【００５３】
【数３】
2013207327.tif 000005
【００５４】
（３）
上記実施の形態において、デジタルカメラ１００は、鏡筒１４１が固定された構成を有するものとした。しかし、鏡筒１４１がデジタルカメラ１００に対して交換可能であってもよい。
【００５５】
（４）
上記実施の形態において、外部マイクロホン３００は、シュー２０１に機械的に固定されるものとした。しかし、外部マイクロホン３００による収音時に、外部マイクロホン３００がシュー２０１、ひいてはデジタルカメラ１００に固定されている必要はなく、外部マイクロホン３００がデジタルカメラ１００に電気的に接続され、外部マイクロホン３００にて収音されている音声信号をデジタルカメラ１００に入力できればよい。
【００５６】
（５）
上記実施の形態において、外部マイクロホン３００にて収音された音声信号は、電気的に接続されたプラグ３０３およびジャック２０３を経由して、デジタルカメラ１００に入力されるものとしたが、次のように変更してもよい。
【００５７】
すなわち、シュー２０１が電気接続用の端子を備える。外部マイクロホン３００は、シュー２０１に機械的に固定されるのと同時に、この端子に電気接続される。外部マイクロホン３００は、この端子を経由して音声信号をデジタルカメラ１００に入力する。検出部２０２は、外部マイクロホン３００がシュー２０１に機械的に固定（接続）されたこと、またはこの端子に電気的に接続されたことを検出する。
【００５８】
（６）
上記実施の形態において、外部マイクロホン３００は、デジタルカメラ１００と有線接続されるものとした。しかし、外部マイクロホン３００は、音声信号をデジタルカメラ１００に有線接続を介して入力する必要はなく、無線接続を介して入力してもよい。その場合、例えば、外部マイクロホン３００は、マイク側通信部を備える。また、音声入力系１１０は、カメラ側通信部（接続部の一例）を備える。マイク側通信部とカメラ側通信部との間で無線接続が確立されると、デジタルカメラ１００は、外部マイクロホン３００により収音される音声信号の受信を開始する。また、無線接続が確立されると、検出部２０２が、外部マイクロホン３００がデジタルカメラ１００に接続されたことを検出する。以後の処理は、上記実施の形態と同様である。
【００５９】
（７）
上記実施の形態において、デジタル画像・音声処理部１２０およびコントローラ１３０は、各々上記のような機能および構成を有するものとして説明したが、各々の持つ機能および構成の一部が他方に含まれるような構成としてもよい。
【００６０】
（８）
上記実施の形態において、ＣＣＤイメージセンサ１４３を、撮像素子の一例として説明したが、本発明はこれに限定されない。すなわち、ＣＭＯＳイメージセンサや、ＮＭＯＳイメージセンサなど、他の撮像素子であっても本発明に適用可能である。
【００６１】
（９）
上記実施の形態において、本発明をデジタルカメラ１００に適用した例を説明したが、本発明は、音声信号を扱うことができさえすれば、画像情報を扱うことができないその他の装置にも適用可能である。例えば、本発明は、外部マイクロホンを接続可能であるボイスレコーダのような音声記録装置にも同様に適用可能である。また、本発明は、内部マイクロホンを備えていない音声記録装置にも同様に適用可能である。
【００６２】
（１０）
上記実施の形態において、表示部１９０は、液晶ディスプレイであるものとしたが、本発明はこれに限定されない。表示部１９０は、例えば、ＬＥＤランプであってもよい。そして、ＬＥＤランプの点灯数、色等により、音声信号の入力状況が示されるようになっていてもよい。
【産業上の利用可能性】
【００６３】
ここに開示される技術によれば、接続された外部収音装置の種別をより適切に判別可能な音声記録装置を提供することができる。従って、ここに開示される技術は、デジタルカメラだけでなく、ムービーカメラ、携帯電話、ボイスレコーダなど、外部マイクロホンを用いて音声データの記録を行う他の種類の音声記録装置にも適用可能である。
【符号の説明】
【００６４】
１００  デジタルカメラ
１１０  音声入力系
１１１  内部マイクロホン
１１５  アナログ音声処理部
１２０  デジタル画像・音声処理部
１３０  コントローラ
１４０  画像入力系
１４１  鏡筒
１４２  レンズ制御部
１４３  ＣＣＤイメージセンサ
１５０  ＲＡＭ
１６０  外部記憶媒体
１７０  ＲＯＭ
１８０  操作部
１８１  レリーズ釦
１８２  ズームレバー
１８３  電源釦
１８４  モードダイヤル
１８５  中央釦
１８６  十字釦
１９０  表示部
１９５  スピーカー
２００  フラッシュ
２０２  検出部
２０３  ジャック
２１０  マイク孔
３００  外部マイクロホン
３０１  収音部
３０２  ケーブル
３０３  プラグ
【図１】
2013207327.tif 000006
【図２】
2013207327.tif 000007
【図３】
2013207327.tif 000008
【図４】
2013207327.tif 000009
【図５】
2013207327.tif 000010
【図６】
2013207327.tif 000011
【図７】
2013207327.tif 000012